(57)【特許請求の範囲】
【請求項１】
塀等ブリック仕上げ構築物の構築基体をなすように，ブリック貼着用の前後基板を有し，上下端部及び左右端部を隣接相互間で嵌合連結して段積使用する発泡樹脂製段積用の成型ブロックであって，上記ブリック貼着用の前後基板表面にラス網を半埋込状に埋込配設するとともに該ラス網を上記嵌合連結によって隣接する成型ブロックの前後基板の端部に亘るように前後基板の各対角線方向一方に偏位し上下一側及び左右一側に張出して埋込配設してなることを特徴とする建築基体形成用成形ブロック。
【請求項２】
上記ブリック貼着用の前後基体が所定間隔にして多数のモルタル受入溝を備え，上記ラス網の半埋込状の埋込配設を，該モルタル受入溝を覆うように行ってなることを特徴とする請求項１に記載の構築基体形成用成型ブロック。
【請求項３】
上記ラス網の半埋込状の埋込配設を，ラス網の高温加熱の圧着により成型ブロックの前後基板表面に熱溶着することによって行ってなることを特徴とする請求項１又は２に記載の構築基体形成用成型ブロック。
【請求項４】
上記ラス網を，自己保形性を有するメタルラスとしてなることを特徴とする請求項１，２又は３に記載の構築基体形成用成型ブロック。
【発明の詳細な説明】
【０００１】
【発明の属する技術分野】
本発明は，塀，門等ブリック仕上げをしてエクステリア用に用いる構築物の構築基体をなす構築基体形成用成型ブロックに関する。
【０００２】
【発明が解決しようとする課題】
例えばタイル，レンガ等窯業系のブリックによる仕上げを施した塀等の構築物は，現場施工によってコンクリートの躯体，即ち構築基体を形成し，然る後にこれに接着モルタルによってブリックを接着し且つ目地モルタルによってブリック間に目地を形成するものとされるが，この場合は工事が煩雑化するし，工期が長くなる傾向を生じるし，一方これを回避するために工場生産によって上記構築基体を形成し又はこれにブリックを貼着して構築物のユニットを形成して，これを現場に設置固定することも想定し得るが，この場合重量が嵩んで，輸送や現場設置にクレーン等を必要とするに至る。
【０００３】
本発明はかかる事情に鑑みてなされたもので，その解決課題とする処は，工事が容易で工期を短縮できるように，構築基体を軽量な発泡樹脂製段積用の成型ブロックによって構成し得るようにするとともに成型ブロックを発泡樹脂製としたことによって構築物として受けることある衝撃に対してその崩壊を防止し得るようにするとともに地震等の災害に対する安全性を向上するようにした構築基体形成用成型ブロックを提供するにある。
【０００４】
【課題を解決するための手段】
上記課題に添って請求項１に記載の発明を，塀等ブリック仕上げ構築物の構築基体をなすように，ブリック貼着用の前後基板を有し，上下端部及び左右端部を隣接相互間で嵌合連結して段積使用する発泡樹脂製段積用の成型ブロックであって，上記ブリック貼着用の前後基板表面にラス網を半埋込状に埋込配設するとともに該ラス網を上記嵌合連結によって隣接する成型ブロックの前後基板の端部に亘るように前後基板の各対角線方向一方に偏位し上下一側及び左右一側に張出して埋込配設してなることを特徴とする建築基体形成用成形ブロックとし，請求項２に記載の発明を，上記ブリック貼着用の前後基体が所定間隔にして多数のモルタル受入溝を備え，上記ラス網の半埋込状の埋込配設を，該モルタル受入溝を覆うように行ってなることを特徴とする請求項１に記載の構築基体形成用成型ブロックとし，請求項３に記載の発明を，上記ラス網の半埋込状の埋込配設を，ラス網の高温加熱の圧着により成型ブロックの前後基板表面に熱溶着することによって行ってなることを特徴とする請求項１又は２に記載の構築基体形成用成型ブロックとし，請求項４に記載の発明を，上記ラス網を，自己保形性を有するメタルラスとしてなることを特徴とする請求項１，２又は３に記載の構築基体形成用成型ブロックとし，これらをそれぞれ発明の要旨として上記課題解決の手段としたものである。
【０００５】
【作用】
本発明にあっては，成形ブロックの基板表面に埋込配設した半埋込状のラス網がブリック貼着用のモルタル下地をなすことによって，ブリックを確実且つ強固に貼着固定するように作用し，また構築物に，例えば車輛やそのバンパーが当ったりする如くに，成型ブロックを部分的に破損したり，損壊したりする程度の外力を受けたとき，ラス網が耐衝撃用の崩れ防止材として，成形ブロックが変形するも，その崩れを防止するように作用し，また前後基体にモルタル受入溝を有するときは，これにモルタルが入り込み，モルタル受入溝がモルタルアンカ−溝となって発泡樹脂の成型ブロックとモルタルとの密着性を高め，またブリック貼着に際して余分のモルタルの逃げ溝となってブリック貼着の表面を平滑化し表面に波打が発生したりすることを防止するように作用する。
【０００６】
【発明の実施の形態】
以下図面の例に従って本発明を更に具体的に説明すれば，Ａは成型ブロック，Ｂは該成型ブロックＡを用いて形成した塀等のブリック仕上げをしてエクステリア用に用いる構築物であり，成型ブロックＡは，上記塀等ブリック仕上げ構築物Ｂの構築基体をなすように，ブリック１３貼着用の前後基板１を有し，上下端部及び左右端部を隣接相互間で嵌合連結して段積使用する発泡樹脂製段積用のものとしてあり，このとき該成型ブロックＡの上記ブリック１３貼着用の前後基板１表面にラス網１０を半埋込状に埋込配設するとともに該ラス網１０を上記嵌合連結によって隣接する成型ブロックＡの前後基板１の端部に亘るように前後基板１の各対角線方向一方に偏位し上下一側及び左右一側に張出して埋込配設したものとしてあり，これによって該ラス網１０を上記ブリック１３貼着用のモルタル下地とするとともに成型ブロックＡの耐衝撃用の崩れ防止材としてあり，更にこのとき上記ブリック１３貼着用の前後基板１が，所定間隔にして多数のモルタル受入溝２を備え，上記ラス網１０の張設一体化を該モルタル受入溝２を覆うように行ってなるものとしてある。
【０００７】
即ち発泡樹脂製段積用とした成型ブロックＡは，前後に対向して厚肉とした上記ブリック１３貼着用の前後基板１と，該前後基板１間に介設し，幅方向に複数の縦筋孔３を区画形成する多数にして厚肉の仕切壁４と，段積用とするための上下端部及び左右端部の嵌合部５とを備えるとともに，本例にあって更に上記ブリック１３貼着用の前後基体１の表面にそれぞれ凹陥して等間隔ピッチで垂直平行多数にして両端を開放したモルタル受入溝２を備えたものとしてあり，このとき上下端部の嵌合部５は，上記前後基板１間を上方に偏位して立上げるように，上端において幅方向全長に亘って太幅の奥行幅で上方に隆起状に立上げた突出部６と，下端においてこの突出部６と相互に密に嵌合して該突出部６を受入れる同じく前後基板１間を上方に偏位して開口するように幅方向全長に亘って太幅の奥行幅で溝状に凹陥した下向き開口の凹陥部７とにより，左右端部の嵌合部５は，上記前後基板１を前後で段違い状に配置して，その前後基板１の両端でそれぞれ相互に嵌合する前後基板１の一方端における突出段部８と，他方端における凹陥段部９とによりそれぞれ形成してあり，成型ブロックＡは，この構成を備えて，本例にあって例えば高さ３７．５cm，長さ（幅）８１cm，奥行１４cmの矩形横長にして厚板のブロック状にして，軽量にして構築基体としての強度（躯体の芯強度）を確保し得るように発泡樹脂，例えばポリスチレン樹脂を３０±５倍，特に３０倍の発泡倍率によって発泡成型した発泡ポリスチレン製の矩形発泡成型体にしてブロック体によって形成したものとしてある。
【０００８】
この成型ブロックＡに張設一体化したラス網１０は，その埋込状の埋込配設を，モルタル受入溝２を覆い，各前後基板１の略全面に亘り対角線方向一方に偏位するように行って，該ラス網１０を成形ブロックＡに対して張設一体化してあり，本例にあって該ラス網１０の半埋込状の埋込配設は，これをラス網１０の高温加熱の圧着により成型ブロックＡの前後基板１に熱溶着することによって行ったものとしてあり，また該ラス網１０は，これを自己保形性を有するメタルラスによるものとしてある。
【０００９】
即ちラス網１０は，後述のブリック１３貼着用のモルタル下地をなすものとし併せて耐衝撃用の崩れ防止材をなすものとして，成型ブロックＡの前後基板１のそれぞれに，その対角線一方向，本例にあっては前後で左右上方一方の左上方に向けた対角線方向に向けて偏位し，上下一側の上側，左右一側の左側にそれぞれ偏位分，例えば１０mm幅で張出して張設一体化したものとしてあり，このときラス網１０は，メタルラス，溶接金網（ワイヤーメッシュ），ラスシート等から，自己保形性，即ち上向きに立上げたときに可及的に撓みなく自立性を保持し得る程度の剛性を有するとともに他に比してこの自己保形性が優れたメタルラスを用い，特に表面に突起を形成したコブラス又はリブラスを用いるようにしてモルタルの密着性を向上するものとし，このメタルラスはこれを，高温，例えば９０°に加熱して成型ブロックＡの前後基板１にそれぞれ位置決めした位置に載置押圧することにより，前後基板１にモルタル下地を形成し得るように露出するとともに発泡樹脂面に半埋込状に浅く喰い込むように配設することによって，該前後基板１に上記張設一体化したものとしてあり，そのラス網１０後付け加工による生産を容易化し且つ確実に行うものとしてある。
【００１０】
従って本例にあっては，上記自己保形性に優れたメタルラスによるラス網１０が成型ブロックＡの前後基板１に，対角線の一側上方に向けて偏位して張設一体化し，前後基板１における上下一側の上側及び左右一側の左側にラス網１０が上記１０mmの帯状に張出すことになる一方，上下一側の下側及び左右一側の右側には，同じく１０mmのラス網１０のない帯状の嵌込み代として発泡樹脂端部露出部１１が形成されることになり，これら成型ブロックＡを段積使用するに際して，上下方向，幅（左右）方向に各成型ブロックＡは，各ラス網１０の上記張出部分が，発泡樹脂露出部１１に対して帯状一連に跨り状にこれを被覆して張出すことになり，これによって隣接する成型ブロックＡの端部にラス網１０が亘るものとしてあり，構築基体の構成に際してラス網１０の自立保形性を成型ブロックＡの一体化に活用し得るようにしてある。
【００１１】
本例の成型ブロックＡにより，例えば塀の構築物Ｂを形成するには，地表に所定ピッチ，例えば８０cmのピッチで縦筋１２を配置して配筋を施し，成型ブロックＡの幅方向に任意の縦筋孔３又は両端に凹陥形成した凹陥縦溝３′により成型ブロックＡ間に形成される縦筋孔３に上記縦筋１２を通すとともに該縦筋孔３にモルタルを流し込み充填し，必要に応じて成型ブロックＡを部分的に破断してこれらを貫通する横筋を更に用いて同じくモルタル硬化する一方，一の成型ブロックＡに対して他の成型ブロックＡを，上端の突出部６に下端の凹陥部７を嵌合し，一側の突出段部８に凹陥段部９を，他側の凹陥段部９に突出段部８をそれぞれ嵌合して，上下端部及び左右端部の嵌合部５の嵌合連結によって，成型ブロックＡ同士を段積みして積上げ配置するとともに，幅方向端部において張出したラス網１０を，例えば金ばさみによって切取除去する一方で，ラス網１０がそれぞれ隣接する成型ブロックＡの前後基板１の端部に亘るようにすることにより構築物Ｂの構築基体を形成し，併せてその各前後基板１に各ラス網１０をモルタルの下地として，これに接着モルタル，例えば揺動や直射日光の熱膨張収縮を吸収して，クラックの発生やこれによるブリックの剥落を防止し得る弾性接着モルタルを用いてブリック１３を貼着し，また目地モルタルを用いてブリック１３間に目地１４を配置するようにすればよく，本例の構築物Ｂにあっては，成型ブロックＡが隣接相互間で嵌合連結して，鉄筋モルタルによって地表上に起立設置される一方，成型ブロックＡは同じく隣接相互間で，前後基板１の端部に亘るラス網１０とこれに塗着されるブリック１３貼着の接着モルタルの硬化によって一体化し，このとき本例にあってラス網１０は，特に上位の成型ブロックＡをその前後の端部に亘るようにこれを挟み持つ対向溝をなすものとなって，上位の成型ブロックＡを嵌込んで受入れて上下位の隣接相互間でその一体化を極めて強固に行って，軽量であり乍ら強度に優れた構築基体を有するものとなり，前後基板１のブリック１３の貼着と相俟って構築物Ｂの強度を向上し，従って，例えば車輛やそのバンパーが当ったりする如くに比較的大きな外力を受けたとき，成型ブロックＡの発泡樹脂による弾性によって吸収できずに成型ブロックＡに変形や割れ（クラック）による破損等を生じてもラス網１０が耐衝撃用の崩れ防止材となって，成型ブロックＡやこれによる構築基体の崩れを防止することができる。
【００１２】
更に本例にあっては前後基板１にモルタル受入溝２を有するから，これに上記接着モルタルが入り込んで硬化することによって，モルタル受入溝がこの接着モルタルのアンカ−溝となって発泡樹脂の成型ブロックと接着モルタルとの密着性を高めて，ブリック１３の貼着を強固に行い，またブリック１３の貼着に際して余分の接着モルタルの逃げ溝となってブリック１３貼着の表面を平滑化し表面に波打ちが発生したりすることを防止して，仕上り外観を向上するものとし得る。
【００１３】
図示した例は以上としたが，成型ブロックは，例えば横筋とそのモルタルを受入れるように，多数の縦筋孔上方を横断的に閉塞して，縦筋の破断貫通自在のモルタル受止壁を発泡樹脂の成型時に一体に配設したものとすること，ラス網の埋込状の配設は，前後基板で，例えば反対方向に偏位したりする如くに，偏位の方向を適宜に変えることにより，上下一側及び左右一側の張出方向を適宜に設定するように行い，これによって隣接する成型ブロックの端部との関係を前後で同一とし，或いは相異なるものとすること，成型ブロックにブリックを貼着した上，これをブリック付きのユニットとし，これを，上記と同様に段積みして積上げ配置して構築物を形成するようにして，構築物の工事を行うものとすることも可能であり，これらを含めて本発明の実施に当って成型ブロック，ラス網，これによる構築基体，ブリック等の各具体的材質，形状，構造，これらの関係，これらに対する付加等の発明の実施形態は，上記発明の要旨に反しない限り様々に変更することができる。
【００１４】
【発明の効果】
本発明は以上のとおりに構成したから，請求項１に記載の発明は，上下端部，左右端部の嵌合連結によって構築基体の段積設置ができるようにし，また発泡樹脂製とすることによって軽量化し，クレーン等の機械力を用いることなく，人手による工事を可能とするとともに工事を容易化し工期を短縮し得るものとする一方，上記発泡樹脂製としたことによって構築物として受けることある衝撃に対して，半埋込状に埋込配設することによって成形ブロックに剥離したりすることなく張設一体化したラス網が耐衝撃用の崩れ防止材として構築基体の崩壊を防止しし，地震等の災害に対する安全性を向上し得るようにした構築基体形成用成型ブロックを提供することができる。
【００１５】
請求項２に記載の発明は，上記に加えて，成型ブロックの前後基板にモルタルのアンカ−作用を付与してブリックの貼着を強固にして外観よくなし得るものとすることができる。
【００１６】
請求項３に記載の発明は，同じく上記に加えて，ラス網の半埋込状の埋込配設によって成形ブロックに対する張設一体化を簡易に行って，生産性を向上したものとすることができる。
【００１７】
請求項４に記載の発明は，同じく上記に加えて，ラス網を自己保形性に優れて好ましい形態としたものとすることができる。
【図面の簡単な説明】
【図１】  成型ブロックのラス網を一部破断した状態を示す斜視図である。
【図２】  成型ブロックの正面図である。
【図３】  成型ブロックの平面図である。
【図４】  成型ブロックの側面図である。
【図５】  成型ブロック同士の幅方向の関係を示す斜視図である。
【図６】  構築物における成型ブロック及び鉄筋の配置状態を線図で示した部分正面図である。
【符号の説明】
Ａ  成型ブロック
Ｂ  構築物
１  前後基板
５  嵌合部
１０  ラス網
１３  ブリック
【図１】
0003725665.tif 000002
【図２】
0003725665.tif 000003
【図３】
0003725665.tif 000004
【図４】
0003725665.tif 000005
【図５】
0003725665.tif 000006
【図６】
0003725665.tif 000007